(57)【要約】【課題】立体ディスプレイを備える画像表示装置において、表示された画像を観察するユーザを正面から撮像することができる技術を提供する。【解決手段】観察者の第１の視方向には第１の画像を表示し、第２の視方向には第２の画像を表示することで立体視を可能とする画像表示装置であって、この画像表示装置は、第１の画像と第２の画像とを表示する表示面を有する表示部と、表示面の周縁を囲うように配置され、表示面から観察者の側に張り出すと共に観察者の側に開口を有する囲い部と、囲い部によって囲まれた囲い空間において、表示面に対して傾いた状態で配置されたハーフミラー部と、囲い空間の外部に配置され、ハーフミラーによって反射された観察者の像を複数の方向から撮像するための撮像部と、を備えている。【選択図】図１
2008228170.tif 000002
【特許請求の範囲】
【請求項１】
観察者の第１の視方向には第１の画像を表示し、第２の視方向には第２の画像を表示する画像表示装置であって、
前記第１の画像と前記第２の画像とを表示する表示面を有する表示部と、
前記表示面の周縁を囲うように配置され、前記表示面から前記観察者の側に張り出すと共に前記観察者の側に開口を有する囲い部と、
前記囲い部によって囲まれた囲い空間において、前記表示面に対して傾いた状態で配置されたハーフミラー部と、
前記囲い空間の外部に配置され、前記ハーフミラーによって反射された前記観察者の像を複数の方向から撮像するための撮像部と、
を備えることを特徴とする画像表示装置。
【請求項２】
請求項１に記載の画像表示装置において、
前記囲い空間に面した前記囲い部の内面のうち、少なくとも前記撮像部の視野に含まれる領域は黒色である、
画像表示装置。
【請求項３】
請求項１または請求項２に記載の画像表示装置において、
前記撮像部は、前記撮像部の視野に前記表示面が含まれないように配置されている、
画像表示装置。
【請求項４】
請求項１ないし請求項３のいずれかに記載の画像表示装置において、
前記囲い部は、着脱自在に前記画像表示装置に取り付けられている、
画像表示装置。
【請求項５】
請求項１ないし請求項４のいずれかに記載の画像表示装置において、
前記囲い部は、前記囲い空間に面したいずれかの内面上において、前記観察者の側からみて奥行き方向の位置の指標となる指標部を有する、
画像表示装置。
【請求項６】
請求項１ないし請求項５のいずれかに記載の画像表示装置を備えたテレビ電話装置。
【発明の詳細な説明】
【技術分野】
【０００１】
本発明は、立体視を可能とする画像表示装置において、表示画像を観察する観察者を撮像する技術に関する。
【背景技術】
【０００２】
近年のネットワークの発達により、遠隔地間でテレビ電話装置を用いて音声と映像とを送受信する、いわゆるテレビ会議が行われるようになってきている。テレビ電話装置では、相手側のユーザの画像（映像）が表示されると共に、こちら側のユーザの画像（映像）がＣＣＤ（Charge Coupled Devices）カメラ等の撮像装置で撮像されて相手側に送信される（下記特許文献１，２参照）。
【０００３】
【特許文献１】特開２０００−２０９５５９号公報
【特許文献２】特開２００６−９３８８３号公報
【発明の開示】
【発明が解決しようとする課題】
【０００４】
上記特許文献１，２に記載されたテレビ電話装置では、撮像装置は、ディスプレイの上方に設置されているのでユーザを上方から見下ろして撮像することとなる。このとき、ユーザは、ディスプレイに表示された相手側の像を見ており、撮像装置を見てはいない。したがって、正面を向いておらず下方を向いた人物像が撮像されてしまうという問題があった。それゆえ、テレビ会議では、それぞれのディスプレイに下方を向いた相手の像が表示されることとなり、お互いに相手と視線を一致させて会話することができなかった。特に、立体視を可能とする立体ディスプレイを備えるテレビ電話装置では、相手が立体像として浮かび上がって見えるために、視線が一致していないことをはっきりと認識してしまうおそれがあった。
【０００５】
このように、立体ディスプレイに表示された画像を観察するユーザを、正面から撮像することができないという問題は、テレビ電話装置に限らず、他の画像表示装置においても発生し得る。例えば、ユーザの顔を撮影してその顔を表示することで、化粧や眼鏡等を試用する際に、正面からみた自己の顔を確認するための装置においても発生し得る。また、ゲームを遊戯中のユーザの顔を撮像して、ゲーム画面内に表示するといった装置（ゲーム機）においても発生し得る。すなわち、これらの画像表示装置においても、正面を向いたユーザを撮像することができず、従って、正面を向いていない自己の顔が表示されてしまう。
【０００６】
本発明は、立体ディスプレイを備える画像表示装置において、表示画像を観察するユーザを正面からみた画像を得ることができる技術を提供することを目的とする。
【課題を解決するための手段】
【０００７】
本発明は、上述の課題の少なくとも一部を解決するためになされたものであり、以下の形態又は適用例として実現することが可能である。
【０００８】
［適用例１］観察者の第１の視方向には第１の画像を表示し、第２の視方向には第２の画像を表示する画像表示装置であって、前記第１の画像と前記第２の画像とを表示する表示面を有する表示部と、前記表示面の周縁を囲うように配置され、前記表示面から前記観察者の側に張り出すと共に前記観察者の側に開口を有する囲い部と、前記囲い部によって囲まれた囲い空間において、前記表示面に対して傾いた状態で配置されたハーフミラー部と、前記囲い空間の外部に配置され、前記ハーフミラーによって反射された前記観察者の像を複数の方向から撮像するための撮像部と、を備えることを特徴とする画像表示装置。
【０００９】
適用例１の画像表示装置では、少なくとも第１及び第２画像により、立体視を可能とすることができる。尚、３以上の視方向にそれぞれ画像を表示させてもよい。観察者が表示面に表示された第１の画像及び第２の画像を見る際に、その観察者の像がハーフミラーによって反射されて囲い空間の外部に配置された撮像部によって撮像されるので、表示面を見ている観察者を正面からみた画像を得ることができる。また、撮像部は、囲い空間の外部に配置されているので、観察者による第１の画像及び第２の画像の観察を妨げない。また、囲い部は、観察者側に張り出しているので、ユーザが第１の画像及び第２の画像以外のものを見ようとする際に、この囲い部を見ることで、目の焦点位置の変化を抑制することができ、疲労感を和らげることができる。
【００１０】
［適用例２］適用例１に記載の画像表示装置において、前記囲い空間に面した前記囲い部の内面のうち、少なくとも前記撮像部の視野に含まれる領域は黒色である、画像表示装置。
【００１１】
このような構成とすることで、ハーフミラー等により反射された第１の画像及び第２の画像が囲い部の内面において反射してしまい、撮像した画像内に写り込んでしまうことを抑制することができる。
【００１２】
［適用例３］適用例１または適用例２に記載の画像表示装置において、前記撮像部は、前記撮像部の視野に前記表示面が含まれないように配置されている、画像表示装置。
【００１３】
このような構成とすることで、表示面に写し出された相手側の像を撮像してしまうことを抑制することができる。
【００１４】
［適用例４］適用例１ないし適用例３のいずれかに記載の画像表示装置において、前記囲い部は、着脱自在に前記画像表示装置に取り付けられている、画像表示装置。
【００１５】
このような構成とすることで、画像表示装置が、立体ディスプレイと通常のディスプレイ（２次元ディスプレイ）とを切り替えることが可能な構成であると、２次元ディスプレイとして機能する場合において、囲い部を取り外すことで、より明るい環境下で表示画像を見ることができる。
【００１６】
［適用例５］適用例１ないし適用例４のいずれかに記載の画像表示装置において、前記囲い部は、前記囲い空間に面したいずれかの内面上において、前記観察者の側からみて奥行き方向の位置の指標となる指標部を有する、画像表示装置。
【００１７】
このような構成とすることで、ユーザが観察者が第１の画像と第２の画像とからなる立体像を見る際に、指標部が奥行き方向の位置の指標となるので、立体像が立体的に浮かび上がった感じを、ユーザに対してより強く与えることができる。
【００１８】
なお、本発明は、種々の形態で実現することが可能であり、例えば、適用例１ないし適用例５のいずれかに記載の画像表示装置を備えたテレビ電話装置等の形態で実現することができる。
【発明を実施するための最良の形態】
【００１９】
以下、本発明を実施するための最良の形態を実施例に基づいて以下の順序で説明する。
Ａ．第１の実施例：
Ｂ．第２の実施例：
Ｃ．第３の実施例：
Ｄ．変形例：
【００２０】
Ａ．第１の実施例：
図１は、本発明の一実施例としての画像表示装置を適用したテレビ電話装置を示す説明図である。このテレビ電話装置１００は、ネットワーク１０に接続されており、ネットワーク１０を介したテレビ会議を実現する。このテレビ電話装置１００は、相手側の像を立体表示することができる。また、テレビ電話装置１００は、こちら側のユーザの像を相手側において立体視可能とするために、異なる２つの位置からユーザを撮像して得られた画像（映像）を相手側に送信する。
【００２１】
図２は、図１に示すテレビ電話装置１００の詳細構成を示すブロック図である。このテレビ電話装置１００は、本体部２００と、表示部３００と、フード部１１０と、ハーフミラー１２０と、撮像部１５０とを備えている。フード部１１０は、ユーザ側に張り出した中空の部材であり、表示部３００の周縁を囲うように配置されている。なお、フード部１１０で囲まれた空間を、以下において囲い空間ＡＲと呼ぶ。ハーフミラー１２０は、囲い空間ＡＲの内部に設置されている。このハーフミラー１２０は、入射光の一部を透過すると共に、残りの光を反射する。このようなハーフミラー１２０としては、例えば、ガラス基板の表面に誘電体薄膜層（ＴｉＯ2層やＳｉＯ2層等）の反射膜が形成されたものを用いることができる。撮像部１５０は、フード部１１０の上部外面に設置されており、２つのＣＣＤカメラ（第１カメラ１５１，第２カメラ１５２）を備えている。なお、図示は省略しているが、フード部１１０の天井部分にはこれら２つのカメラ１５１，１５２が受光するための穴が設けられている。これらの２つのカメラ１５１，１５２は、互いに所定の距離だけ離れて設置されており、同一の被写体を異なる角度から撮像して立体視用の画像を得ることができる。
【００２２】
表示部３００は、立体視可能な画像を表示する立体ディスプレイであり、液晶パネル３１０と、バックライト３２０と、液晶パネル駆動部３３０と、を備えている。液晶パネル３１０は、下部偏光板３０１と、下部ガラス基板３０２と、液晶層３０３と、カラーフィルタ層３０４と、上部ガラス基板３０５と、視差バリヤ３０６と、上部偏光板３０７と、を備えており、それぞれが積層された構成を有する。
【００２３】
液晶パネル駆動部３３０には、立体視のための２つの画像（第１画像及び第２画像）の合成画像データ（Ｒ（赤），Ｇ（緑），Ｂ（青））ＦＤが入力される。液晶パネル駆動部３３０は、この合成画像データＦＤに基づいて駆動信号ＳＤを生成して出力することで、液晶パネル３１０を駆動する。液晶パネル３１０において、下部ガラス基板３０２は、画素電極（図示省略）を備えている。上部ガラス基板３０５は、共通電極（図示省略）を備えている。そして、これら２つのガラス基板３０２，３０５によって挟まれた液晶層３０３において、液晶パネル駆動部３３０が出力する駆動信号ＳＤの変化（画素電極と共通電極との間の電圧の変化）に応じて、液晶分子の配列が変化する。カラーフィルタ層３０４は、Ｒ，Ｇ，Ｂの３色のカラーフィルタから成る。視差バリヤとしては、例えば、遮光部と開口部とがストライプ状に配置された、いわゆるストライプバリヤを使用可能である。
【００２４】
バックライト３２０から射出される照明光は、下部偏光板３０１と下部ガラス基板３０２とを通って液晶層３０３において変調され、カラーフィルタ層３０４においてＲ，Ｇ，Ｂの合計３色の画像光に変換される。なお、液晶パネル駆動部３３０は、第１画像と第２画像とがストライプ状に表示されるように各画素を駆動する。カラーフィルタ層３０４において変換された３色の画像光は、上部ガラス基板３０５と視差バリヤ３０６とを通って液晶パネル３１０の外部（囲い空間ＡＲ）へと射出される。このとき、上部ガラス基板３０５から射出される第１画像と第２画像とを表す画像光のうち、第１画像を表す画像光は、視差バリヤ３０６の有するストライプ状の開口部を通って第１視方向αに射出される。また、第２画像を表す画像光は、視差バリヤ３０６の有するストライプ状の開口部を通って第２視方向βに射出される。したがって、テレビ電話装置１００のユーザは、表示部３００を観察するときに、左目で視方向αに射出された第１画像の画像光を見て、右目で視方向βに射出された第２画像の画像光を見ることで、相手の顔を立体視することができる。
【００２５】
本体部２００は、ネットワークインタフェース部２２２と、信号多重／分離部２２４と、音声符号化／復号部２２６ａと、映像符号化／復号部２２６ｂと、信号変換部２２８ａと、信号変換部２２８ｂと、マイク２３０と、スピーカ２４０と、これらの各構成要素を制御する制御部２１０と、を備えている。ネットワークインタフェース部２２２は、テレビ会議用の通信プロトコルとして、ＩＴＵ−Ｔ（国際電気通信連合、電気通信標準化部門）によるＨ．３２３勧告のプロトコルを実行する。
【００２６】
信号多重／分離部２２４は、ネットワークインタフェース部２２２を介して受信した相手側からの信号を、音声信号と映像信号とに分離したり、テレビ電話装置１００から送信する映像信号と音声信号とを多重化したりする。音声符号化／復号部２２６ａは、信号多重／分離部２２４が抽出した相手側の音声信号を復号したり、スピーカ２４０から入力した音声信号を符号化したりする。信号変換部２２８ａは、音声符号化／復号部２２６ａによって復号された音声信号をＤ／Ａ変換してスピーカ２４０に出力すると共に、マイク２３０から入力される音声信号をＡ／Ｄ変換して音声符号化／復号部２２６ａに出力する。映像符号化／復号部２２６ｂは、信号多重／分離部２２４が抽出した相手側の映像信号を復号したり、前述の２つのカメラ１５１，１５２によって撮像された画像（映像）信号を符号化したりする。信号変換部２２８ｂは、映像符号化／復号部２２６ｂによって復号された映像信号をＤ／Ａ変換して液晶パネル駆動部３３０に出力する。
【００２７】
図３は、図１に示すテレビ電話装置１００のＹ―Ｚ平面での断面図である。ハーフミラー１２０は、囲い空間ＡＲにおいて表示部３００の表示面（上部偏光板３０７）に対して所定の角度だけ傾いて設置されている。かかる構成によって、表示部３００を見るユーザの姿は、ハーフミラー１２０を透過して表示部３００に向かうと共に、ハーフミラー１２０において上方に反射される。一方、表示部３００で表示される立体視可能な画像は、ハーフミラー１２０において下方に反射されると共に、ハーフミラー１２０を透過してユーザに向かう。
【００２８】
撮像部１５０の有する２つのカメラ１５１，１５２の光軸Ｄ１は、いずれもフード部１１０の内側の底面Ｓ１に対して垂直な方向となっている。そして、これら２つのカメラ１５１，１５２は、ハーフミラー１２０で反射されたユーザの姿を異なる２つの位置で撮像する。なお、２つのカメラ１５１，１５２のレンズ部分の像は、ハーフミラー１２０においてユーザ側に反射されることとなる。しかしながら、このレンズ部分の像は、表示部３００に表示される画像の明るさに比べて暗いので、ユーザが相手側の像を見る際に支障を与えることはない。
【００２９】
このように、テレビ電話装置１００では、ハーフミラー１２０で反射したユーザの姿を撮像するので、表示部３００を見ているユーザを正面からみた画像を得ることができる。したがって、相手側においてもテレビ電話装置１００と同一の構成のテレビ会議装置を用いる場合には、互いに視線を一致させて会話を行うことができる。また、撮像部１５０は、フード部１１０の外面に設置されているので、ユーザが相手側の画像を見る際に邪魔にならない。なお、フード部１１０の内側の底面Ｓ１は黒色となっている。これは、以下の理由による。前述のように、表示部３００で表示される画像（画像光）は、ハーフミラー１２０を透過すると共に、ハーフミラー１２０において下方に反射される。したがって、底面Ｓ１を黒色とすることで、ハーフミラー１２０での反射画像光を底面Ｓ１において吸収することができ、撮像部１５０により撮像された画像内に写り込みが発生することを抑制できるからである。なお、底面Ｓ１に代えて、または底面Ｓ１と共に、フード部１１０の内側の任意の面（天井面や側面）も黒色としてもよい。また、底面Ｓ１は、黒色に限らず濃い灰色などの比較的暗い任意の色とすることもできる。
【００３０】
図４は、テレビ会議中のテレビ電話装置１００をユーザ側から見た説明図である。なお、図示の便宜上、ハーフミラー１２０を破線で示す。テレビ会議中においてユーザには、囲い空間ＡＲにおいて相手の顔の画像（虚像）Ｆ１が浮かび上がって見える。ユーザの視界には、虚像Ｆ１の他、表示部３００の表示面（上部偏光板３０７）と、フード部１１０の内側の面（底面Ｓ１や側面等）と、フード部１１０の枠１１２とが入っている。ここで、表示部３００と枠１１２とで、虚像Ｆ１までの奥行き方向（Ｚ軸方向）の距離を比較すると、枠１１２から虚像Ｆ１までの距離がより短くなっている。したがって、ユーザが虚像Ｆ１から枠１１２に視点を動かす場合（視点移動方向Ｑ）の目の焦点位置のずれは、虚像Ｆ１から表示面に視点を動かす場合（視点移動方向Ｐ）の目の焦点位置のずれに比べて小さくなる。
【００３１】
一般に、ユーザは、立体ディスプレイにおいて立体画像を見る際に、立体画像（虚像）から視点を移動させて虚像以外のものを見る場合がある。テレビ電話装置１００では、仮に、ユーザが虚像Ｆ１以外のものとして表示面（上部偏光板３０７）自体を見ると、虚像Ｆ１から表示面への視点の移動によって焦点位置が大きく変わるために、ユーザにとって疲労の原因となり得る。ところが、テレビ電話装置１００では、虚像Ｆ１からの焦点位置のずれが表示面よりも小さい視認対象物として、フード部１１０の枠１１２がユーザの視界に入ることとなる。それゆえ、ユーザは、焦点位置をほとんど変えることなく虚像Ｆ１以外のものとして枠１１２を見ることができる。したがって、テレビ電話装置１００では、虚像Ｆ１を見ながらテレビ会議を行うユーザの疲労感を和らげることができる。
【００３２】
Ｂ．第２の実施例：
図５は、第２の実施例におけるテレビ電話装置のＹ−Ｚ平面での断面図である。このテレビ電話装置１００ａが第１の実施例のテレビ電話装置１００と異なる点は、ハーフミラー１２０がＹ軸方向により近い姿勢で設置されている点と、撮像部１５０がユーザ側により近い位置に設置されている点と、第１カメラ１５１及び第２カメラ１５２の光軸が、底面Ｓ１に対して垂直ではない点と、の３点であり、他の構成はテレビ電話装置１００と同じである。
【００３３】
テレビ電話装置１００ａにおいて、ハーフミラー１２０は、反射面とユーザの姿を表す光の入射方向（Ｚ軸方向）とがなす角度が、テレビ電話装置１００（図３）に比べてより大きくなるように設置されている。すなわち、第２の実施例におけるハーフミラー１２０は、第１の実施例におけるハーフミラー１２０に比べてよりＹ軸方向に近い姿勢で設置されている。このことにより、ハーフミラー１２０におけるユーザの姿の反射方向が第１の実施例から変わることとなる。それに伴って、撮像部１５０の設置位置は、ハーフミラー１２０で反射されたユーザの姿を撮像するために、テレビ電話装置１００（図３）に比べてユーザ側により近い位置に設置されている。また、２つのカメラ１５１，１５２の光軸Ｄ２は、いずれも底面Ｓ１に対して垂直ではなく、底面Ｓ１に対して所定の角度をなす。ここで、２つのカメラ１５１，１５２は、それぞれ、視野内に表示部３００の表示面（上部偏光板３０７）が入らないように配置されている。
【００３４】
以上のような構成とすることで、第１の実施例に比べてハーフミラー１２０がよりＹ軸方向に近い姿勢で配置されるので、フード部１１０自体のＺ軸方向の長さを、第１の実施例に比べてより短くすることができる。それゆえ、テレビ電話装置１００ａ全体を小型化することができる。また、２つのカメラ１５１，１５２の撮像範囲内に表示部３００の表示面が入らないので、表示部３００に写った相手側の像を撮像してしまうことを避けることができる。
【００３５】
Ｃ．第３の実施例：
図６は、第３の実施例におけるテレビ会議中のテレビ電話装置をユーザ側から見た説明図である。なお、第１の実施例（図４）と同様に、ハーフミラー１２０を破線で示す。このテレビ電話装置１００ｂは、ハーフミラー１２０が、ユーザの姿を下方に反射するように設置されている点と、撮像部１５０が本体部２００の内部に設置されている点と、フード部１１０ａの内側の底面Ｓ１が黒色でない点と、においてテレビ電話装置１００（図４）と異なり、他の構成については第１の実施例と同じである。
【００３６】
テレビ電話装置１００ｂでは、撮像部１５０は、フード部１１０ａの上部外面ではなく、本体部２００の内部（フード部１１０ａの底面Ｓ１の直下）に設置されている。また、テレビ電話装置１００ｂでは、ハーフミラー１２０は、ユーザの姿を下方に反射するように設置されている。したがって、本体部２００に内蔵された２つのカメラ１５１，１５２は、ハーフミラー１２０において反射されたユーザの姿をフード部１１０ａの下方において撮像することができる。なお、底面Ｓ１には、２つのカメラ１５１，１５２が受光するための穴（図示省略）が設けられている。
【００３７】
フード部１１０ａの内側の底面Ｓ１は、テレビ電話装置１００における底面Ｓ１（図４）と異なり、Ｘ軸方向に伸びる黒色の筋がＺ軸方向に所定の間隔で並んだ縞模様を有している。フード部１１０ａの内側の底面Ｓ１をこのような縞模様としているのは以下の理由による。すなわち、縞模様の黒色の筋が、ユーザが虚像Ｆ１を見る際の奥行き方向（Ｚ軸方向）の位置の指標となるために、虚像Ｆ１が立体的に浮かび上がった感じをより強くユーザに与えることができるからである。なお、この縞模様は、フード部１１０ａの内側の底面Ｓ１に代えて、又は底面Ｓ１と共にフード部１１０ａの内側の側面に施すようにしてもよい。また、縞模様に代えて、奥行き方向の位置の指標となる任意の模様を施すようにしてもよい。フード部１１０ａの内側の天井面Ｓ２は黒色となっている。これは、テレビ電話装置１００（図４）において底面Ｓ１が黒色となっているのと同様に、撮像部１５０により撮像された画像内に虚像Ｆ１等の写り込みが発生することを抑制するためである。なお、上述した縞模様は、請求項における指標部に相当する。
【００３８】
以上のような構成とすることで、テレビ電話装置１００ｂでは、表示部３００を見るユーザの姿を正面からみた画像を得ることができる。また、撮像部１５０を本体部２００内部に配置しているので、テレビ電話装置１００ｂ全体として小型化することができる。また、虚像Ｆ１を囲むようにフード部１１０ａが設けられるので、フード部１１０ａの内側の面を利用して、虚像Ｆ１の奥行き方向の位置の指標を設けることができる。
Ｄ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００３９】
Ｄ１．変形例１：
上述した各実施例では、表示部３００（図２）では、画像光の射出方向を制御するために、視差バリヤ３０６を用いていたが、視差バリヤ３０６に代えて、画像光の射出方向を制御可能な任意の装置を用いるようにしてもよい。このような装置として、例えば、シリンドリカルレンズが横方向（Ｘ軸方向）に並んだレンチキュラレンズを用いてもよい。
【００４０】
Ｄ２．変形例２：
上述した各実施例では、画像表示装置をテレビ電話装置に適用した構成であったが、テレビ電話装置に限らず、画像を表示しつつその画像を観察するユーザを撮像する任意の装置に適用することができる。例えば、化粧やメガネ等を試用するユーザが正面からみた自己の顔を確認するための装置や、ゲームを遊戯中のユーザの顔を撮像して、ゲーム画面内に表示するといった装置（ゲーム機）等に適用することもできる。
【００４１】
Ｄ３．変形例３：
上述した各実施例において、フード部１１０，１１０ａを着脱自在の構成としてもよい。このような構成とすることで、表示部３００が、立体ディスプレイと通常のディスプレイ（２次元ディスプレイ）とを切り替え可能な構成において、２次元ディスプレイとして機能する場合に、フード部１１０，１１０ａを取り外すことで、より明るい環境下で表示画像を見ることができる。
【００４２】
Ｄ４．変形例４：
上述した各実施例において、ハーフミラー１２０の設置角度を任意に変更可能な構成としてもよい。また、撮像部１５０及び２つのカメラ１５１，１５２を可動とし、ハーフミラー１２０の設置角度の変化に合わせて、撮像部１５０の位置や、２つのカメラ１５１，１５２の光軸を変更可能な構成としてもよい。このような構成とすることで、ユーザの交代等によって目の位置（高さ）が変わったとしても、正面からみたユーザの姿を撮像することができる。
【００４３】
Ｄ５．変形例５：
上述した第１の実施例では、撮像部１５０は、フード部１１０の上部外面に配置されていた。また、第３の実施例では、撮像部１５０は、本体部２００の内部に設置されていた。撮像部１５０の設置位置は、これらの場所に限らず、ユーザによる虚像Ｆ１の視認の妨げにならない任意の場所とすることができる。例えば、囲い部１１０，１１０ａの側面であってもよい。
【００４４】
Ｄ６．変形例６：
上述した各実施例では、テレビ電話装置１００，１００ａ，１００ｂは、据え置き型の電話装置であったが、携帯型の電話装置であってもよい。かかる構成では、フード部１１０，１１０ａを着脱自在な構成とし、テレビ会議を行う場合にのみ、フード部１１０，１１０ａを取り付けるようにしてもよい。
【図面の簡単な説明】
【００４５】
【図１】本発明の一実施例としての画像表示装置を適用したテレビ電話装置を示す説明図である。
【図２】図１に示すテレビ電話装置１００の詳細構成を示すブロック図である。
【図３】図１に示すテレビ電話装置１００のＹ―Ｚ平面での断面図である。
【図４】テレビ会議中のテレビ電話装置１００をユーザ側から見た説明図である。
【図５】第２の実施例におけるテレビ電話装置のＹ−Ｚ平面での断面図である。
【図６】第３の実施例におけるテレビ会議中のテレビ電話装置をユーザ側から見た説明図である。
【符号の説明】
【００４６】
１０…ネットワーク
１００，１００ａ，１００ｂ…テレビ電話装置
１１０，１１０ａ…フード部
１１２…枠
１２０…ハーフミラー
１５０…撮像部
１５１…第１カメラ
１５２…第２カメラ
２００…本体部
２１０…制御部
２２２…ネットワークインタフェース部
２２８ａ，２２８ｂ…信号変換部
２３０…マイク
２４０…スピーカ
３００…表示部
３０１…下部偏光板
３０２…下部ガラス基板
３０３…液晶層
３０４…カラーフィルタ層
３０５…上部ガラス基板
３０６…視差バリヤ
３０７…上部偏光板
３１０…液晶パネル
３２０…バックライト
３３０…液晶パネル駆動部
２２４…信号多重／分離部
２２６ａ，２２６ｂ…音声符号化／復号部
ＳＤ…駆動信号
ＦＤ…合成画像データ
Ｐ，Ｑ…視点移動方向
Ｄ１，Ｄ２…光軸
Ｓ１…底面
Ｓ２…天井面
Ｆ１…虚像
ＡＲ…囲い空間
α…第１視方向
β…第２視方向
【図１】
2008228170.tif 000003
【図２】
2008228170.tif 000004
【図３】
2008228170.tif 000005
【図４】
2008228170.tif 000006
【図５】
2008228170.tif 000007
【図６】
2008228170.tif 000008